(57)【要約】【課題】移動車両に座してノート型パソコンを直接膝の上又はかばんの上に載せ不安定な状況での使用事例が多く、膝勾配によるかばん前進落下の危険性及び隣席人への迷惑回避可能で最適なかばんが無かった。【解決手段】ノート型パソコン固定用中仕切板４４にＺ型留め具用防振ボルトナットセット５類でノート型パソコン４３を固定後、ノート型パソコン固定用中仕切板保持防振ボルトナットセット４５類でかばんノート型パソコン固定用中仕切板受枠１１に固定し、ノート型パソコン収納部４６と雑書類収納部５１に区画し、三連丁番１９で、かばんノート型パソコン側蓋１０及びかばん雑書類側蓋１２が回動可能で、コンパクトに纏めて一体型にしたノート型パソコン固定収納二層式かばんを提供する事で、移動車両に座して作業時隣人への迷惑回避、膝勾配によるかばん前進落下の危険性を回避、且つ足下及び網棚等に忘れる事も無くなる。【選択図】  図１
2007325749.tif 000002
【特許請求の範囲】
【請求項１】
ノート型パソコン固定用中仕切板受枠１１の上部側ノート型パソコン収納部４６にノート型パソコン固定用中仕切板保持防振ボルトナットセット４５で固定されるノート型パソコン固定用中仕切板４４にＺ型留め具用防振ボルトナットセット５とＺ型留め具４で、ノート型パソコン４３を直接又はキーボード１４操作に支障が無い柔軟で強靭な性能を有する極細材で網目状に形成されノート型パソコン４３と接合する障害除去必要な各種機器接合部を除去したノート型パソコン保持ネット４７を使用固定し、予備バッテリーパック移動保持具５０、ＡＣアダプター移動保持具２、マウス移動保持具４１及びマウス操作域４２等の機能領域を有したノート型パソコン固定用中仕切板４４でかばんを上下２層に区画し、ＤＶＤ類収納部３及び筆記具類収納具３６等を内包保持した緩衝材１３を固着したかばんノート型パソコン側蓋１０及び雑書類収納部５１を確保保持するかばん雑書類側蓋１２を、かばんノート型パソコン固定用中仕切板受枠１１に固着している三連丁番１９で単独又は同時に回動可能な機能を保持し、ノート型パソコン固定用中仕切板受枠１１の底鋲２９側に固着している丁番３１及び角度保持金具８を回動させる事で移動時移動車両内に座した状態でも好適で快適なパソコン作業姿勢位置・環境を創出確保し、かばんノート型パソコン固定用中仕切板受枠１１と止水材２０を装着したかばんノート型パソコン側蓋１０とかばん雑書類側蓋１２で構成創出されるノート型パソコン固定収納二層式かばん及びシステム
【請求項２】
ボルトと一体成形されたボルト頭部の内側に防振ゴム離脱防止及び固着強度アップの為に突起形状を具備した凹状ボルト頭部形状を持ち、凹部に,防振ゴムを介在させ固着した一対の防振ゴム付カップボルト３９及び十字穴付薄頭ナット２１で構成される多方向振動減衰型ノート型パソコン固定用中仕切板保持防振ボルトナットセット４５及び構成構造
【請求項３】
一体成形されたボルト軸の内部に十字穴付薄頭ボルト２２を接合可能な雌螺子加工された十字穴付薄頭雌螺子付ボルト２４と薄頭（フランジ）部に十字穴付薄頭ボルト２２のボルト軸を挿入可能な穴加工された十字穴付薄頭雌螺子付ナット２３と十字穴付薄頭ボルト２２のボルト軸に直行した方向全方位で振動を吸収可能な防振ゴム内歯形座金３８と十字穴付薄頭ボルト２２で構成されたＺ型留め具用防振ボルトナットセット５及びＺ型留め具４の構成構造
【請求項４】
ノート型パソコン４３等キーボード１４類を他材に固定する時、通常ノート型パソコン４３類には係止目的の加工がなされていない事が大半である為、キーボード１４等の操作に支障が無い柔軟で強靭な性能を有する極細材で網目状に形成され、ノート型パソコン４３等と接合する障害除去必要な各種機器接合部を除去した各種ノート型パソコン保持ネット４７及び除去前のノート型パソコン保持ネット４７及びキーボード保持ネット
【請求項５】
平行な２軸と隣接接合された３片の取り付け片を持つ三連丁番
【請求項６】
かばん等の底部又は取り付け可能な隣接側部等に丁番と緊結ボルト等で滑り止め目的材を装着、塗布又は滑り止め加工を施した面を持つ角度保持金具を係止し回動する事により、かばん等を水平状態又は前高傾斜状態角度に保持し、使用者の利便性を創出確保する傾斜補正システム
【請求項７】
かばんの主収容部を中仕切り板で二層に区分し、かばん枠材に固定し、中仕切り板の上下二箇所に有効な収容部を創出する開閉機構及び錠前機構を持つかばん
【発明の詳細な説明】
【技術分野】
【０００１】
防振ゴムボルト類でかばん枠材に固定されたパソコン固定用中仕切板にノート型パソコンを固定し、移動車両に座している時でも安全・簡便に好適な作業環境を創出し作業可能なかばんに関する発明である。
【背景技術】
【０００２】
現存するアタッシュケース及びソフトバッグ類は上下蓋に囲まれた収納部が一室一体型のかばん類が殆どで、文具類及び書類の分類収納簡易仕切り板類及び袋物類が付いているのが散見される程度である。近年、軽量化された新型のノート型パソコンを単独で携帯し使用している事例が多々見受けられる。しかし事務所内外何処でも、かばん類にノート型パソコンを収納状態で最適に使用可能なかばん類は存在しない。一般的にはかばん類にノート型パソコンを無造作に入れ、使用場所ではパソコン本体をかばんから取り出し、収納してきたかばん類を脇に置き、ノート型パソコン本体を膝の上に乗せ作業しているのが大半で、又は膝の上にかばん類、その上にパソコン本体を乗せ作業しているのも時どき見受けられる。出張等のビジネスシーンでは移動時での作業使用も効率ＵＰの為、現実的になりつつあるが、通常は日帰り出張等では予備バッテリー及びアダプターを不携帯の為、バッテリーの残時間を気にしての作業となっている。二日以上の出張では当然に予備バッテリー及びアダプターを持参する事になるが、他のかばん等に入れる事となり、必要時直ぐに使用できないのが現状である。客先等への訪問では最低限の紙資料も持参が肝要である。しかし現存する中では当該目的全ての条件を充足する機能が充実したかばん類は存在しない。下記に現状の例を示す。
【０００３】
登録実用新案第３０２４２６５号はマウス操作板及びコンピューターを収納するかばん本体の上端より下位の位置にキーボードが位置する状態でコンピューター収納部を区画壁にて区画したものであり、区画壁が各種機器類接続及び操作の障害となり、且つ雑書類等を収納する部位が存在せず、かばん本体の閉塞可能な蓋体付属収納部に収納するとかばん本体の重心位置が高くなり不安定になる。
【０００４】
特開２００３−２３０４１７は緩衝シートにてノートパソコンを衝撃から保護することを目的としているが、開けた状態で操作使用する時、緩衝シート表面より高い縁部が障壁となり、操作性が落ちる。かばん本体と緩衝シートが空間を有している為、緩衝シート上にてノートパソコンを操作する時、浮遊感覚状態での操作となり、違和感が増長される。強い力がキーボード面より下部方向（キーボード裏面方向）へ作用すると、緩衝シートを介してかばん正面部が閉鎖方向（操作作業者側）へ倒れる事となり、操作中止となる。
【０００５】
実開平５−４８５４２は携帯パソコンそのものである。
【０００６】
特開平７−２４４５４３は電子かばん本体を展開する事で使用可能となり、移動時の座しての操作作業時、通常の展開が不可能で、且つ電子かばんに書類等を充分に収納している時は、一度他所へ移動すれば問題は発生しないが、他所へ移動不可であれば書類を眼前にしての不安定で不快な作業となる。
【０００７】
特開平６−３０２１７０は可搬型ビデオ再生装置である。
【０００８】
特開平７−１３０１５５は可搬型ビデオ再生装置である。
【０００９】
特開平１０−３０４９２４は伸縮自在なアタッシュケース内に使用するパソコン台であり、伸縮部空間利用が有効利用されてなく、大切な収容空間の浪費となる。
【００１０】
特開２００３−６１７２９の趣旨は回動伸縮自在な脚体構造を持つパソコン作業台の考案であり、パソコンをかばん本体に収納する方法は皆無である。
【００１１】
特開２００４−１３６７１はかばんとコンピューターが一体化されていて、コンピューター更新時はその都度当該かばんも同時に更新する事となる。
【００１２】
実開平５−９１４２４は液晶表示素子を主発明とし、耐外部圧力性、耐水性及びかばん内部のマイコンシステム収納固定方法に難あり。
【００１３】
特開平９−９４１１４は中仕切が縫合され、かばん内部を分割しているが、コンピューター収納性及び作動条件環境整備はなされていない。
【００１４】
特開２００３−２７５００９はかばん内部に張設した伸縮性シート仕切り構造である。
【特許文献１】登録実用新案第３０２４２６５号
【特許文献２】特開２００３−２３０４１７
【特許文献３】実開平５−４８５４２
【特許文献４】特開平７−２４４５４３
【特許文献５】特開平６−３０２１７０
【特許文献６】特開平７−１３０１５５
【特許文献７】特開平１０−３０４９２４
【特許文献８】特開２００３−６１７２９
【特許文献９】特開２００４−１３６７１
【特許文献１０】実開平５−９１４２４
【特許文献１１】特開平９−９４１１４
【特許文献１２】特開２００３−２７５００９
【発明の開示】
【発明が解決しようとする課題】
【００１５】
従来ではノート型パソコンを使用する時は収納していたかばん類より取り出し、直接膝の上に載せるか又はかばんを載せその上にノート型パソコンを置き不安定な状況下で使用している事例が多く、移動車両に座して熱中使用中、到着駅ではかばん内の書類等に邪魔されながらも慌ててノート型パソコンを収納しているか諦めて片手で持ち下車後収納しているのが現状である。本発明では簡単簡便安全にノート型パソコンを携行し場所を問わず使用し、簡単に終了収納移動できるかばんが存在しなかったのでノート型パソコン固定収納二層式かばんを提供するものである。
【課題を解決するための手段】
【００１６】
かばんノート型パソコン固定用中仕切板受枠１１にノート型パソコン４３をＺ型留め具４、Ｚ型留め具用防振ボルトナットセット５で直接又はキーボード１４操作に支障が無い柔軟で強靭な性能を有する極細材で網目状に形成され、障害除去必要なノート型パソコン４３と接合する各種機器接合部を除去したノート型パソコン保持ネット４７をキーボード１４他余白面に被せて固定したノート型パソコン固定用中仕切板４４をノート型パソコン固定用中仕切板保持防振ボルトナットセット４５類で固定し、かばんをノート型パソコン収納部４６と雑書類収納部５１に区画し、当該かばんのノート型パソコン収納部４６に面するかばんノート型パソコン側蓋１０に緩衝材を具備固定する事により、耐圧力・耐凹性も発現し強度も増大し、膝上で使用する時は滑り止め材貼付塗装又は防滑加工を施した角度保持金具８を回動する事により、膝勾配によるかばん前進落下の危険性を回避する事が出来るコンパクトに纏められた一体型のノート型パソコン固定収納二層式かばんで解決できる。
【発明の効果】
【００１７】
ノート型パソコン固定収納二層式かばんを移動車両に座して使用する時、コンパクトに纏められた一体型の為、空きかばん及び付属機器類等が隣席にはみ出す等の悪影響が皆無となり、ノート型パソコン固定用中仕切板４４上でマウス４０操作がスムーズに操作可能となり、マウス４０を頻繁に操作使用する複雑なＣＡＤ作業等も簡単に操作可能で能率がＵＰし、予備バッテリーパック４９を携行すれば、長時間作業が可能となり、且つノート型パソコン４３と収納かばんが分離されていない為、到着駅等で急に離席降車する時でもかばん類を脇、足下及び網棚等に忘れる事もなくなる。ノート型パソコン固定用中仕切板４４上のノート型パソコン４３固定面には必要最低限固定部品以外は存在しない為、ＣＤ類出し入れ、接続他の障害にはなり得ない。かばんノート型パソコン側蓋１０とかばんノート型パソコン固定用中仕切板受枠１１とかばん雑書類側蓋１２が閉塞する接触面に止水材２０を二重に装着している為、防水性能が向上とし、Ｚ型留め具用防振ボルトナットセット５とノート型パソコン固定用中仕切板保持防振ボルトナットセット４５でノート型パソコン４３を固定し、且つ緩衝材１３を具備したかばんノート型パソコン側蓋１０とかばんノート型パソコン固定用中仕切板受枠１１とかばん雑書類側蓋１２で落下衝撃圧縮に対する保護性能が向上しノート型パソコン４３の破損回避が増大する。ノート型パソコン側蓋１０とかばんノート型パソコン固定用中仕切板受枠１１とかばん雑書類側蓋１２の素材、構造及び表装は種々の素材で製造付着が可能で、ファッション性も向上し、女性向けの表装も可能となり商品流通性及び価値がＵＰする。本出願ノート型パソコン固定収納二層式かばんが破壊する迄、収納固定したノート型パソコン４３を機種交換しても同程度のサイズであればノート型パソコン固定用中仕切板４４への固定用穴位置の変更のみで使用継続が可能であり、コスト低減が図れ、少資源化の一助となる。
【発明を実施するための最良の形態】
【００１８】
本発明の好適な実施形態を実施例１〜４他の図面を参照し説明する。以下に記載される実施例は、本発明を説明するための例示であり、本発明をこれらの実施形態のみに限定するものでは無い。したがって本発明はその趣旨を逸脱しない限り、各種素材による構造創出及び合体、補強、表面形状形態、表装材の有無及び選択が可能である。例えば木枠外面に皮にて表装加工するアタッシュケースでも外枠材を３分割し、中仕切り板を中間に位置する枠に固着し、本発明の回動機能を付加し、中仕切り板にノート型パソコンを固定すれば本発明の具現転用が可能となる。
【実施例１】
【００１９】
図１から図１３はノート型パソコン固定収納二層式かばんのかばんノート型パソコン側蓋１０に緩衝材１３を固着していない状態の実施例である。
【００２０】
図１はかばんノート型パソコン固定用中仕切板受枠１１にノート型パソコン固定用中仕切板４４をノート型パソコン固定用中仕切板保持防振ボルトナットセット４５で固定し、ノート型パソコン４３を適正に配置し、Ｚ型留め具用防振ボルトナットセット５とＺ型留め具４で直接に固定した事例である。ノート型パソコン４３本体にＺ型留め具４を掛ける部分が形成確保できない時はキーボード１４操作に支障が無い柔軟で強靭な性能を有する極細材で網目状に形成され、障害除去必要なノート型パソコン４３と接合する各種機器接合部を除去したノート型パソコン保持ネット４７をキーボード１４他余白面に被せＺ型留め具用防振ボルトナットセット５とＺ型留め具４でかばんノート型パソコン固定用中仕切板受枠１１に固定する事も可能である。各種機器接合部とはＡＣアダプター１、大記憶容量光ディスク（ＤＶＤ）６又はコンパクトディスク（ＣＤ）１７、内外付フロッピィディスク、外付ディスプレイ、マウス４０、各種接続ユニバーサル・シリアル・バス４８、排気口の他ノート型パソコン４３に接続系合・出入り駆動する部分全ての部分を指すものとする。ノート型パソコン固定用中仕切板受枠１１の上部マウス操作域４２ではマウス４０の操作性維持向上可能な素材を、他の部分では防汚性に富んだ素材を使用し、不要時にはドライバー一本で簡単に着脱可能なＡＣアダプター移動保持具２、マウス移動保持具４１、予備バッテリーパック移動保持具５０、ノート型パソコン固定用中仕切板保持防振ボルトナットセット４５、Ｚ型留め具４、Ｚ型留め具用防振ボルトナットセット５以外の突起物及び固定物は付属しないものとする。ＡＣアダプター移動保持具２、予備バッテリーパック移動保持具５０等は日々の目的に応じ頻繁に着脱が考えられるが、簡単にドライバー一本で着脱が可能である。
【００２１】
図２は図１状態図でのア−ア矢視図で、かばんノート型パソコン側蓋１０に緩衝材１３を固着していない状態断面図である。ノート型パソコン固定用中仕切板受枠１１の上部左側にノート型パソコン４３が設置され、右部分にマウス操作域４２が確保されている。
【００２２】
図３は図１状態図でのイ−イ矢視図で、かばんノート型パソコン側蓋１０に緩衝材１３を固着していない状態断面図である。ノート型パソコン固定用中仕切板受枠１１の上部右側にノート型パソコン４３が設置され、左部分にマウス操作域４２が確保されている。
【００２３】
図４は図１状態図でのウ−ウ矢視図で、４個の底鋲２９で自立しているかばんノート型パソコン側蓋１０に緩衝材１３を固着していない状態断面図である。底鋲２９の高さ内で角度保持金具８がＨ面に回動前の収納状態で配置収納されている。
【００２４】
図５は図１状態図でのエ−エ矢視図で、かばんノート型パソコン側蓋１０に緩衝材１３を固着していない状態断面図である。底鋲２９の高さ内で角度保持金具８がＨ面に回動前の収納状態で配置収納されている。
【００２５】
図６は図１及び図２状態図でのＣ面図で、ノート型パソコン固定用中仕切板４４のＣ面よりノート型パソコン４３のキーボード裏面１５を見通し、ノート型パソコン固定用中仕切板保持防振ボルトナットセット４５、Ｚ型留め具用防振ボルトナットセット５の雑書類収納部５１側が表現配置されている。雑書類収納部５１にはＺ型留め具用防振ボルトナットセット５、ノート型パソコン固定用中仕切板保持防振ボルトナットセット４５の薄頭部のみ突出しているが収納力は殆ど低下していない。
【００２６】
図７は図１状態図でのオ−オ矢視図で、４個の底鋲２９で自立しているかばんノート型パソコン側蓋１０に緩衝材１３を固着していない状態断面図である。マウス移動保持具４１にマウス４０が装着され、底鋲２９の高さ内で角度保持金具８がＨ面に回動前の収納状態で配置収納されている。
【００２７】
図８はノート型パソコン固定収納二層式かばんのＦ面概観図であり、Ｈ面に底鋲２９の高さ内で角度保持金具８がＨ面に回動前の収納状態で配置収納されている。
【００２８】
図９はノート型パソコン固定収納二層式かばんのＡ面概観図であり、Ｈ面に底鋲２９の高さ内で角度保持金具８がＨ面に回動前の収納状態で配置収納されている。
【００２９】
図１０はノート型パソコン固定収納二層式かばんのＧ面概観図であり、錠前２５及び二分割型取っ手３４が配置表現されている。
【００３０】
図１１はノート型パソコン固定収納二層式かばんのＨ面概観図であり、底鋲２９部を控除した角度保持金具８が常時収納状態で配置表現されている。
【００３１】
図１２はノート型パソコン固定収納二層式かばんのＨ面概観図であり、角度保持金具８及びかばんノート型パソコン固定用中仕切板受枠１１に接遇しているかばんノート型パソコン側蓋１０とかばん雑書類側蓋１２を回動する三連丁番１９と角度保持金具８を回動する丁番３１と底鋲２９が配置表現されている。角度保持金具８が回動してＨ面側に存在するが角度保持金具８自体は作図を省略している。
【００３２】
図１３は４個の底鋲２９で自立しているノート型パソコン固定収納二層式かばんのＩ及びＪ面概観図であり、Ｈ面に底鋲２９の高さ内で角度保持金具８が回動前の収納状態で、Ｉ及びＪ面にショルダーストラップ用フック２７とショルダーストラップ用フックベース２８が配置表現されている。
【実施例２】
【００３３】
図１４から図１９はノート型パソコン固定収納二層式かばんのかばんノート型パソコン側蓋１０に緩衝材１３を固着した状態の実施例である。
【００３４】
図１４はノート型パソコン固定収納二層式かばん閉塞状態時のＤ面及びＥ・Ｆ面の水平断面図の複合透視状態図であり、各機能別に概要仕切りを緩衝材１３で形成して、相互備品移動による破損防止を図り、且つ外部からの圧縮破壊圧力に対し抵抗できる機能構造を有している。緩衝材１３と備品関係距離は完全密着では無く、一定の隙間を確保する事で、ノート型パソコン４３終了時に発散される蓄熱を放射冷却する効果に寄与し、且つ外部からの圧縮破壊圧力に対しかばんノート型パソコン側蓋１０及びかばん雑書類側蓋１２が多少凹む事態が発生しても一定の凹み量迄はノート型パソコン４３等に接触しない為に影響が及ばない。特定メーカー以外は室内使用目的のみ想定でノート型パソコンに対し強度な圧縮圧力が掛かる事態を想定外としている為なのかディスプレイ３２及びディスプレイ裏面３３の強度を最重要視していないのが現状と推測する。しかし当該ノート型パソコン固定収納二層式かばんではかばんノート型パソコン固定用中仕切板受枠１１にノート型パソコン固定用中仕切板４４をノート型パソコン固定用中仕切板保持防振ボルトナットセット４５で固定し、ノート型パソコン固定用中仕切板４４にノート型パソコン４３をＺ型留め具４とＺ型留め具用防振ボルトナットセット５で固定する方法、又はキーボード１４等の操作に支障が無い柔軟で強靭な性能を有する極細材で網目状に形成され、ノート型パソコン４３等と接合する障害除去必要な各種機器接合部を除去した各種ノート型パソコン保持ネット４７及び除去前のノート型パソコン保持ネット４７及びキーボード保持ネットで維持固定し、二重防振構造で対応している。ＡＣアダプター移動保持具２と予備バッテリーパック移動保持具５０は事象に応じ着脱は自由であり、マウス移動保持具４１はマウス４０を使用せずタッチパッド３７のみの利用者は取り外す事も可能である。大記憶容量光ディスク（ＤＶＤ）６やコンパクトディスク（ＣＤ）１７及び筆記具類を携行する時にはかばんノート型パソコン側蓋１０に固着している緩衝材１３の部分にあるＤＶＤ類収納部３、専用収納空きスペース筆記具類収納具３６等に収納可能となっている。
【００３５】
図１５は図１４のノート型パソコン固定収納二層式かばん閉塞状態時のカ−カ矢視図で、かばんノート型パソコン側蓋１０に固着している緩衝材１３はノート型パソコン４３及びノート型パソコン固定用中仕切板４４に接触せず一定の隙間を確保した状態になっている。
【００３６】
図１６は図１４のノート型パソコン固定収納二層式かばん閉塞状態時のキ−キ矢視図で、かばんノート型パソコン側蓋１０に固着している緩衝材１３はマウス４０、ＡＣアダプター１、予備バッテリーパック４９、ノート型パソコン４３及びノート型パソコン固定用中仕切板４４に接触せず一定の隙間を確保した状態になっている。
【００３７】
図１７は図１４のノート型パソコン固定収納二層式かばん閉塞状態時のク−ク矢視図で、４個の底鋲２９のみで床面に対し自立している状態図で、かばんノート型パソコン側蓋１０に固着している緩衝材１３はＡＣアダプター１、予備バッテリーパック４９、ノート型パソコン４３及びノート型パソコン固定用中仕切板４４に接触せず一定の隙間を確保した状態になっている。底鋲２９の高さ内で角度保持金具８がＨ面に回動前の収納状態で配置収納されている。Ｖ部及びＷ部は図３１で拡大し、詳細説明するものとする。
【００３８】
図１８は図１４のノート型パソコン固定収納二層式かばん閉塞状態時のケ−ケ矢視図で、４個の底鋲２９のみで床面に対し自立している状態図で、かばんノート型パソコン側蓋１０に固着している緩衝材１３はＡＣアダプター１、予備バッテリーパック４９、ノート型パソコン４３及びノート型パソコン固定用中仕切板４４に接触せず一定の隙間を確保した状態になっている。底鋲２９の高さ内で角度保持金具８がＨ面に回動前の収納状態で配置収納されている。
【００３９】
図１９は図１４のノート型パソコン固定収納二層式かばん閉塞状態時のコ−コ矢視図で、４個の底鋲２９のみで床面に対し自立している状態図で、かばんノート型パソコン側蓋１０に固着している緩衝材１３はマウス４０、ノート型パソコン固定用中仕切板４４に接触せず一定の隙間を確保した状態になっている。緩衝材１３の一部に大記憶容量光ディスク（ＤＶＤ）６やコンパクトディスク（ＣＤ）１７を収納可能なＤＶＤ類収納部３及び筆記具類収納具３６を包含している。底鋲２９の高さ内で角度保持金具８がＨ面に回動前の収納状態で配置収納されている。
【実施例３】
【００４０】
図２０から図２２はノート型パソコン固定収納二層式かばんを机上で使用した状態の実施例である。
【００４１】
図２０は事務所内等通常作業にて使用している机上面にノート型パソコン固定収納二層式かばんを置き、かばんノート型パソコン側蓋１０側の錠前２５を開錠し取っ手３４を握り、三連丁番１９と角度保持金具８を連動回動させ、かばんノート型パソコン側蓋１０を角度Ｓ４迄回動し、その後ノート型パソコン４３のディスプレイ３２を作業に適した視野角度Ｓ３迄回動し開いた状態図である。
【００４２】
図２１は図２０での作業者以外の作業者がキーボード１４角度Ｓ５を希望し作業中に雑書類収納部５１より雑書類１８の一部又は全てを収受目的の為に取っ手３４を握り、三連丁番１９を回動の芯としてかばんノート型パソコン固定用中仕切板受枠１１を角度Ｓ６迄回動させた状態図であり、かばんノート型パソコン側蓋１０とノート型パソコン４３は同期回動した。
【００４３】
図２２は図２１での雑書類１８収受目的が完了し、キーボード１４角度Ｓ５を希望した作業者が通常作業している作業状態図である。
【実施例４】
【００４４】
図２３から図２７はノート型パソコン固定収納二層式かばんを座した膝３５上に載せ使用した状態の実施例である。
【００４５】
図２３は机が無い又は使用できない状況下の一例として、電車車中で座した状態で移動中にパソコン作業を計画し、自分の膝３５の上に角度保持金具８を回動使用し、ほぼ水平状態を維持した状態にノート型パソコン固定収納二層式かばんを置いた状態図である。通常大腿部３０の付け根から膝３５に向けて前傾の勾配角度Ｓ７が発現する。この勾配角度Ｓ７に準じ勾配補正をせずノート型パソコン固定収納二層式かばんを置くと電車の振動等で緩やかに前方へ滑動する事になり、作業者は何時も滑動落下防止の為に神経を使う事となり、本来の作業目的完遂に影響が出る事となる。滑動落下防止の為に作用応力に抵抗する角度と方向を考慮し、且つ滑り止め材貼付塗装又は防滑加工を施した角度保持金具８を回動保持している事例である。
【００４６】
図２４は図２３状態から実使用状態に移行した状態図である。膝３５上面にノート型パソコン固定収納二層式かばんを置き、かばんノート型パソコン側蓋１０側の錠前２５を開錠し取っ手３４を握り、三連丁番１９を回動させ、かばんノート型パソコン側蓋１０を角度Ｓ９迄回動し、その後ノート型パソコン４３のディスプレイ３２を作業に適した視野角度Ｓ２迄回動し開いた状態図である。Ｘ部は図３２にて拡大し、詳細説明するものとする。
【００４７】
図２５は図２４の作業者が作業中に雑書類収納部５１より雑書類１８の一部又は全てを収受目的の為に取っ手３４を握り、三連丁番１９を回動の芯としてかばんノート型パソコン固定用中仕切板受枠１１を角度Ｓ６迄回動させた状態図であり、かばんノート型パソコン側蓋１０とノート型パソコン４３は同期回動した。Ｙ部は図３３にて拡大し、詳細説明するものとする。
【００４８】
図２６は図２５の作業者が雑書類収納部５１の雑書類１８の一部又は全てを収受目的の為により探し易くする為に取っ手３４を握り、三連丁番１９を回動の芯としてかばんノート型パソコン固定用中仕切板受枠１１を図２５の角度Ｓ６より大きい図２６の角度Ｓ６迄同期回動させた状態図であるが、人間の危険回避心理が働き、かばんノート型パソコン側蓋１０とディスプレイ３２部を手前側（自分の方へ）へ引き寄せて危険回避がなされている。
【００４９】
図２７は図２６の角度Ｓ６より大きい角度Ｓ６迄回動した為、かばんノート型パソコン固定用中仕切板受枠１１とかばんノート型パソコン側蓋１０とディスプレイ３２部の開口を閉鎖し一体に閉塞された状態になっている。図２３状態から雑書類収納部５１の雑書類１８の一部又は全てを収受目的の為に取っ手３４を握り、三連丁番１９を回動の芯としてかばんノート型パソコン固定用中仕切板受枠１１とかばんノート型パソコン側蓋１０とノート型パソコン固定用中仕切板４４角度Ｓ６迄同期回動させた状態図でもある。
【００５０】
図２８は当該ノート型パソコン固定収納二層式かばんに同梱固定するノート型パソコン４３のキーボード１４配列他余白に対応し、キーボード１４操作に支障が無い柔軟で強靭な性能を有する極細材で網目状に形成され、障害除去必要なノート型パソコン４３と接合する各種機器接合部（ＡＣアダプター１、大記憶容量光ディスク（ＤＶＤ）６又はコンパクトディスク（ＣＤ）１７、内外付フロッピィディスク、外付ディスプレイ、マウス４０、各種接続ユニバーサル・シリアル・バス４８、排気口の他ノート型パソコン４３に接続系合・出入り駆動する部分全ての部分）を除去したノート型パソコン保持ネット４７とＺ型留め具４、Ｚ型留め具用防振ボルトナットセット５の関係図である。ノート型パソコン４３は各社にて各部位各寸法形状が同一では無い為、各社仕様に対応したノート型パソコン保持ネット４７を使用する事となる。
【００５１】
図２９はノート型パソコン固定収納二層式かばんを使用場所に置き、錠前２５を開錠し、角度保持アーム７を最大限に伸張し、かばんノート型パソコン側蓋１０を開けた状態図である。ノート型パソコン固定用中仕切板４４の上面部にはノート型パソコン４３と最低限必要な機器類（ＡＣアダプター１及びＡＣアダプター移動保持具２、予備バッテリーパック４９及び予備バッテリーパック移動保持具５０、マウス４０及びマウス移動保持具４１、Ｚ型留め具４及びＺ型留め具用防振ボルトナットセット５、角度保持アーム７取り合い関係部品）以外なんら突出していないので、マウス４０の作業性及びノート型パソコン４３の操作性は机上と同等の品質を発現確保可能である。
【００５２】
図３０は図２９からディスプレイ３２を作業者に適した任意角度まで回動した作業状態を表現している。
【００５３】
図３１は図１７ク−ク矢視図中のＶ部及びＷ部の拡大図である。かばんノート型パソコン側蓋１０に緩衝材１３が固着され、ノート型パソコン４３及び係止材（Ｚ型留め具４、Ｚ型留め具用防振ボルトナットセット５）、ノート型パソコン固定用中仕切板４４及び係止材（ノート型パソコン固定用中仕切板保持防振ボルトナットセット４５）、各種機器（ＡＣアダプター１及びＡＣアダプター移動保持具２、予備バッテリーパック４９及び予備バッテリーパック移動保持具５０、マウス４０及びマウス移動保持具４１）とは一定の隙間を保っている。かばんノート型パソコン固定用中仕切板受枠１１の雌螺子加工部分にノート型パソコン固定用中仕切板保持防振ボルトナットセット４５の構成品防振ゴム付カップボルト３９（ボルトと一体成形されたボルト頭部の内側を防振ゴム離脱防止及び固着強度アップの為に突起形状を保持した凹状ボルト頭部形状を持ち、凹部に,防振ゴムを介在させ固着した一対の防振ゴム付カップボルト３９）の雄螺子を挿入固結し、反対側の防振ゴム付カップボルト３９のカップ部にノート型パソコン固定用中仕切板４４を載せ、十字穴付薄頭ナット２１を挿入固定する。ノート型パソコン固定用中仕切板４４及びかばんノート型パソコン固定用中仕切板受枠１１と接触接合するかばんノート型パソコン側蓋１０及びかばん雑書類側蓋１２の端部には止水目的の為、止水材２０が二重で装着されている。ノート型パソコン４３はノート型パソコン固定用中仕切板４４にＺ型留め具４とＺ型留め具用防振ボルトナットセット５を介して直接に固定されている。ノート型パソコン４３にＺ型留め具４係止目的の凹部が無い時はキーボード１４操作に支障が無い柔軟で強靭な性能を有する極細材で網目状に形成され、障害除去必要なノート型パソコン４３と接合する各種機器接合部を除去したノート型パソコン保持ネット４７をノート型パソコン４３のキーボード１４他余白部分に被せＺ型留め具４及びＺ型留め具用防振ボルトナットセット５を介して固定するものとする。Ｈ面（かばんノート型パソコン側蓋１０、かばんノート型パソコン固定用中仕切板受枠１１、かばん雑書類側蓋１２）には三連丁番１９が緊結材１６にて堅固に固定されている。角度保持金具８及び丁番３１はかばん雑書類側蓋１２のＡ面及びＨ面に緊結材１６及び緊結ボルト５２にて堅固に固定されている。Ｇ面（かばんノート型パソコン側蓋１０、かばんノート型パソコン固定用中仕切板受枠１１）にはノート型パソコン収納部４６が錠前２５故障他の原因にて誤開放脱落防止目的の為に二分割された取っ手３４がベース板を介し緊結材１６にて堅固に固定されている。かばんノート型パソコン固定用中仕切板受枠１１にはかばんノート型パソコン側蓋１０及びかばん雑書類側蓋１２を独立して解施錠可能な錠前２５が固定されている。
【００５４】
図３２は図２４中Ｘ部の拡大図である。各部詳細説明は図３１で説明済みの為、省略する。三連丁番１９を回動の芯としてかばんノート型パソコン側蓋１０を回転し、角度保持アーム７の機能にて静止している状態である。図２３項内で説明しているが角度保持金具８の芯を軸としてかばんノート型パソコン側蓋１０の前方への回転荷重移動及び大腿部３０の付け根から膝３５に向けて前傾の勾配角度Ｓ７により生じる滑動落下防止の為に作用応力に抵抗する角度と方向を考慮し、且つ滑り止め材貼付塗装又は防滑加工を施した角度保持金具８を回動保持している事例である。最大回動角度は角度保持金具８とかばんノート型パソコン側蓋１０が接触する事で限界に達し、停止する。
【００５５】
図３３は図２５中Ｙ部の拡大図である。図３２より不利な状況下図であるが角度保持金具８の最大回動角度は角度保持金具８とかばんノート型パソコン側蓋１０が接触する事で限界に達し、停止する。
【００５６】
図３４はＺ型留め具４とＺ型留め具用防振ボルトナットセット５（ノート型パソコン固定用中仕切板４４、十字穴付薄頭雌螺子付ボルト２４、十字穴付薄頭雌螺子付ナット２３、防振ゴム内歯形座金３８、十字穴付薄頭ボルト２２）及びかばんノート型パソコン固定用中仕切板受枠１１とノート型パソコン固定用中仕切板保持防振ボルトナットセット４５（防振ゴム付カップボルト３９、ノート型パソコン固定用中仕切板４４、十字穴付薄頭ナット２１）とかばんノート型パソコン側蓋１０（止水材２０含む）の関係組み立て断面図である。
【００５７】
図３５は図３４中使用部品の分解配置図である。
【００５８】
図３６は図３４中使用部品の部品概要図である。
【図面の簡単な説明】
【００５９】
【図１】かばんノート型パソコン固定用中仕切板受枠１１内にノート型パソコン固定用中仕切板４４とノート型パソコン４３とマウス操作域４２にマウス４０を配した作業状態の一例である
【図２】図1状態時のア−ア矢視図である
【図３】図1状態時のイ−イ矢視図である
【図４】図1状態時のウ−ウ矢視図である
【図５】図1状態時のエ−エ矢視図である
【図６】図1状態時の裏面に相当するＣ面図である
【図７】図1状態時のオ−オ矢視図である
【図８】かばんの平置き概観図でＦ面図である
【図９】かばんの平置き概観図の裏面でＡ面図である
【図１０】かばんの概観図で取っ手のあるＧ面図である
【図１１】かばんの概観図で角度保持金具８を底部に収納した状態H面図である
【図１２】かばんの概観図で角度保持金具８を回動した状態H面図である
【図１３】かばんの自立概観図で側面Ｉ面図及びＪ面図である
【図１４】かばん閉塞状態時のＤ面及びＥ・Ｆ面の水平断面図の複合透視状態図である
【図１５】図１４状態時のカ−カ矢視図である
【図１６】図１４状態時のキ−キ矢視図である
【図１７】図１４状態時のク−ク矢視図である
【図１８】図１４状態時のケ−ケ矢視図である
【図１９】図１４状態時のコ−コ矢視図である
【図２０】ケ−ケ矢視図状態を机上面に置き、角度保持金具８を回動し、ディスプレイ３２を角度Ｓ３及びかばんノート型パソコン側蓋１０を角度Ｓ４で使用している状態図である
【図２１】図２０状態の時、所定の位置まで角度保持金具８を回動し、雑書類収納部５１より雑書類１８を取出す為、角度Ｓ６回動した状態図である
【図２２】図２１状態から雑書類１８を取出した後、通常作業状態に戻した状態図である
【図２３】角度保持金具８を回動させ、移動時移動車両内に座した状態で当該ノート型パソコン固定収納二層式かばんを大腿部３０及び膝３５上に乗せた状態図である
【図２４】図２３状態の時、ディスプレイ３２を角度Ｓ２及びかばんノート型パソコン側蓋１０を角度Ｓ９で使用している状態図である
【図２５】図２４状態の時、雑書類収納部５１より雑書類１８を取出す為、角度Ｓ６回動した状態図である
【図２６】角度Ｓ６を図２５状態より大きくし、より易く雑書類１８を取出す為、回動調整した状態図である
【図２７】角度Ｓ６を図２６状態より大きくし、より易く雑書類１８を取出す為、ディスプレイ３２及びかばんノート型パソコン側蓋１０を閉じた状態図である
【図２８】キーボード１４操作に支障が無い柔軟で強靭な性能を有する極細材で網目状に形成され、障害除去必要なノート型パソコン４３と接合する各種機器接合部を除去したノート型パソコン保持ネット４７とＺ型留め具用防振ボルトナットセット５及びＺ型留め具４の配置例
【図２９】ノート型パソコン固定収納二層式かばんのかばんノート型パソコン側蓋１０を開いた斜視状態図である
【図３０】図２９状態からノート型パソコン４３のディスプレイ３２を通常作業状態に開いた斜視状態図である
【図３１】図１７のＶ部及びＷ部の拡大図である
【図３２】図２４のＸ部の拡大図である
【図３３】図２５のＹ部の拡大図である
【図３４】Ｚ型留め具用防振ボルトナットセット５、ノート型パソコン固定用中仕切板４４、ノート型パソコン固定用中仕切板保持防振ボルトナットセット４５関連部品類の関係状態図
【図３５】図３４表示部品の関係図
【図３６】Ｚ型留め具用防振ボルトナットセット５及びノート型パソコン固定用中仕切板保持防振ボルトナットセット４５の部品分解図
【符号の説明】
【００６０】
１    ＡＣアダプター
２    ＡＣアダプター移動保持具
３    ＤＶＤ類収納部
４    Ｚ型留め具
５    Ｚ型留め具用防振ボルトナットセット
６    大記憶容量光ディスク（ＤＶＤ）
７    角度保持アーム
８    角度保持金具
９    かばん
１０    かばんノート型パソコン側蓋
１１    かばんノート型パソコン固定用中仕切板受枠
１２    かばん雑書類側蓋
１３    緩衝材
１４    キーボード
１５    キーボード裏面
１６    緊結材
１７    コンパクトディスク（ＣＤ）
１８    雑書類
１９    三連丁番
２０    止水材
２１    十字穴付薄頭ナット
２２    十字穴付薄頭ボルト
２３    十字穴付薄頭雌螺子付ナット
２４    十字穴付薄頭雌螺子付ボルト
２５    錠前
２６    ショルダーストラップ
２７    ショルダーストラップ用フック
２８    ショルダーストラップ用フックベース
２９    底鋲
３０    大腿部
３１    丁番
３２    ディスプレイ
３３    ディスプレイ裏面
３４    取っ手
３５    膝
３６    筆記具類収納具
３７    ホイールパット
３８    防振ゴム内歯形座金
３９    防振ゴム付カップボルト
４０    マウス
４１    マウス移動保持具
４２    マウス操作域
４３    ノート型パソコン
４４    ノート型パソコン固定用中仕切板
４５    ノート型パソコン固定用中仕切板保持防振ボルトナットセット
４６    ノート型パソコン収納部
４７    ノート型パソコン保持ネット
４８    ユニバーサル・シリアル・バス（ＵＳＢ）
４９    予備バッテリーパック
５０    予備バッテリーパック移動保持具
５１    雑書類収納部
５２    緊結ボルト
Ｓ１    机上面とかばん雑書類側蓋１２間の角度
Ｓ２    キーボード１４面とディスプレイ３２間の角度
Ｓ３    机上面とディスプレイ３２間の角度
Ｓ４    ノート型パソコン固定用中仕切板４４とかばんノート型パソコン側蓋１０間の角度
Ｓ５    机上面とキーボード１４面間の角度
Ｓ６    かばん雑書類側蓋１２とノート型パソコン固定用中仕切板４４間の角度
Ｓ７    膝上作業想定時、大腿部３０の付け根から膝３５に向けて前傾線とかばん雑書類側蓋１２間の角度
Ｓ８    膝上作業想定時、水平面とキーボード１４面間の角度
Ｓ９    膝上作業想定時、水平面とかばんノート型パソコン側蓋１０間の角度
【図１】
2007325749.tif 000003
【図２】
2007325749.tif 000004
【図３】
2007325749.tif 000005
【図４】
2007325749.tif 000006
【図５】
2007325749.tif 000007
【図６】
2007325749.tif 000008
【図７】
2007325749.tif 000009
【図８】
2007325749.tif 000010
【図９】
2007325749.tif 000011
【図１０】
2007325749.tif 000012
【図１１】
2007325749.tif 000013
【図１２】
2007325749.tif 000014
【図１３】
2007325749.tif 000015
【図１４】
2007325749.tif 000016
【図１５】
2007325749.tif 000017
【図１６】
2007325749.tif 000018
【図１７】
2007325749.tif 000019
【図１８】
2007325749.tif 000020
【図１９】
2007325749.tif 000021
【図２０】
2007325749.tif 000022
【図２１】
2007325749.tif 000023
【図２２】
2007325749.tif 000024
【図２３】
2007325749.tif 000025
【図２４】
2007325749.tif 000026
【図２５】
2007325749.tif 000027
【図２６】
2007325749.tif 000028
【図２７】
2007325749.tif 000029
【図２８】
2007325749.tif 000030
【図２９】
2007325749.tif 000031
【図３０】
2007325749.tif 000032
【図３１】
2007325749.tif 000033
【図３２】
2007325749.tif 000034
【図３３】
2007325749.tif 000035
【図３４】
2007325749.tif 000036
【図３５】
2007325749.tif 000037
【図３６】
2007325749.tif 000038